【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
第１の基地局において、複数の基地局測定報告を受信すること、ここで、前記複数の基地局測定報告の各々が、複数の基地局のうちの１つから受信され、前記複数の基地局測定報告が、無認可無線周波数スペクトル帯域を使用して第１の信号を送信する１つまたは複数の第１のデバイスに関連する情報を含み、前記１つまたは複数の第１のデバイスが、前記複数の基地局とは異なる、と、
前記第１の基地局において、ユーザ機器（ＵＥ）測定報告をＵＥから受信すること、ここで、前記ＵＥ測定報告が、前記無認可無線周波数スペクトル帯域を使用して第２の信号を送信する１つまたは複数の第２のデバイスに関連する情報を含み、前記１つまたは複数の第２のデバイスが、前記ＵＥとは異なる、と、
前記第１の基地局において、前記複数の基地局測定報告と前記ＵＥ測定報告とに少なくとも部分的に基づいて、前記１つまたは複数の第１のデバイスまたは前記１つまたは複数の第２のデバイスが、前記第１の基地局のエネルギー検出範囲外にあると決定することと、
前記第１の基地局において、前記１つまたは複数の第１のデバイスまたは前記１つまたは複数の第２のデバイスが、前記第１の基地局の前記エネルギー検出範囲外にあるとの前記決定に少なくとも部分的に基づいて、前記ＵＥをハンドオーバすると決定することと、
前記第１の基地局において、前記複数の基地局の中からターゲット基地局を選択すること、ここにおいて、前記選択が、前記ターゲット基地局の第２のエネルギー検出範囲内にある前記第１の基地局の前記エネルギー検出範囲外にある、前記１つまたは複数の第１のデバイスまたは前記１つまたは複数の第２のデバイスに少なくとも部分的に基づく、と、
前記第１の基地局から、前記ＵＥを前記ターゲット基地局にハンドオーバするとの前記決定に少なくとも部分的に基づいてハンドオーバコマンドを送信することと
を備える、ワイヤレス通信のための方法。
【請求項２】
前記１つまたは複数の第１のデバイスが、非サービング基地局または非サービングワイヤレスローカルエリアネットワーク（ＷＬＡＮ）アクセスポイント（ＡＰ）のうちの１つまたは複数を備える、請求項１に記載の方法。
【請求項３】
前記１つまたは複数の第２のデバイスが、非サービング基地局または非サービングワイヤレスローカルエリアネットワーク（ＷＬＡＮ）アクセスポイント（ＡＰ）のうちの１つまたは複数を備える、請求項１に記載の方法。
【請求項４】
前記１つまたは複数の第１のデバイスが、前記複数の基地局測定報告のうちの１つの基地局測定報告を提供した前記複数の基地局のうちの１つの基地局のエネルギー検出範囲内にある、請求項１に記載の方法。
【請求項５】
前記１つまたは複数の第２のデバイスが、前記ＵＥのエネルギー検出範囲内にある、請求項１に記載の方法。
【請求項６】
前記１つまたは複数の第１のデバイスまたは前記１つまたは複数の第２のデバイスのうちの少なくとも１つの送信の時間間隔とは異なる時間間隔において、信号を受信すること
をさらに備える、請求項１に記載の方法。
【請求項７】
前記ＵＥをハンドオーバすると前記決定することは、
前記１つまたは複数の第１のデバイスまたは前記１つまたは複数の第２のデバイスのうちの少なくとも１つが、前記無認可無線周波数スペクトル帯域上で前記第１の基地局から送信された信号に、前記ＵＥにおける干渉を引き起こしていると決定すること
を備え、
前記方法は、前記ターゲット基地局が、前記第１の基地局に対する低減された干渉で、前記ＵＥに信号を送信することができると決定することをさらに備える、
請求項１に記載の方法。
【請求項８】
前記ＵＥをハンドオーバすると前記決定することは、
前記ＵＥにおける前記ターゲット基地局の送信の信号強度がしきい値を超えると決定すること、
前記ターゲット基地局が、前記ＵＥにおける前記干渉を引き起こしている、前記１つまたは複数の第１のデバイスまたは前記１つまたは複数の第２のデバイスのうちの前記少なくとも１つのエネルギー検出範囲内にあると決定すること、あるいは
前記ターゲット基地局が前記第１の基地局のエネルギー検出範囲内にあると決定すること、
のうちの１つまたは複数をさらに備える、請求項７に記載の方法。
【請求項９】
前記ＵＥにおける前記第１の基地局の信号強度が、前記ＵＥにおける前記ターゲット基地局の信号強度を超える、請求項７に記載の方法。
【請求項１０】
前記ハンドオーバコマンドを前記送信することが、前記ＵＥと前記ターゲット基地局との間の通信を開始するために、前記ＵＥに前記ハンドオーバコマンドを送信すること
を備える、請求項１に記載の方法。
【請求項１１】
前記複数の基地局測定報告が、非サービング基地局または非サービングワイヤレスローカルエリアネットワーク（ＷＬＡＮ）アクセスポイント（ＡＰ）のうちの少なくとも１つの識別情報およびエネルギー測定値を備える、請求項１に記載の方法。
【請求項１２】
前記複数の基地局測定報告が、前記非サービング基地局または前記非サービングＷＬＡＮ  ＡＰのうちの少なくとも１つについてのプリアンブル検出情報をさらに備える、請求項１１に記載の方法。
【請求項１３】
前記複数の基地局測定報告がバックホールリンクを介して受信される、請求項１１に記載の方法。
【請求項１４】
前記ＵＥ測定報告が、前記１つまたは複数の第２のデバイスのうちの少なくとも１つから前記ＵＥにおいて受信された前記第２の信号のうちの１つまたは複数に関連するエネルギー測定値を備える、請求項１に記載の方法。
【請求項１５】
前記ＵＥ測定報告が、前記第１の基地局の周波数とは異なる、前記無認可無線周波数スペクトル帯域の複数の周波数上でとられた複数の測定値を備える、請求項１４に記載の方法。
【請求項１６】
前記ＵＥ測定報告は、前記ＵＥが、ワイヤレスローカルエリアネットワーク（ＷＬＡＮ）アクセスポイント（ＡＰ）送信のためのビーコン信号、または他の基地局送信のための復調基準信号（ＤＲＳ）信号のうちの少なくとも１つの測定を実行することを可能にするように選択された持続時間を有する時間間隔においてとられた複数の測定値を備える、請求項１４に記載の方法。
【請求項１７】
前記ＵＥをハンドオーバすると前記決定することが、前記ターゲット基地局に関連する負荷メトリックに少なくとも部分的に基づく、請求項１に記載の方法。
【請求項１８】
前記負荷メトリックが、前記ターゲット基地局に関連するチャネル占有情報を備える、請求項１７に記載の方法。
【請求項１９】
前記ターゲット基地局は、前記ターゲット基地局が、干渉非サービング基地局または干渉非サービングワイヤレスローカルエリアネットワーク（ＷＬＡＮ）アクセスポイント（ＡＰ）のエネルギー検出範囲またはプリアンブル検出範囲中にあることに少なくとも部分的に基づいて選択される、請求項１に記載の方法。
【請求項２０】
ワイヤレスデバイスにおけるワイヤレス通信のための装置であって、
プロセッサと、
前記プロセッサと電子通信しているメモリと、
を備え、
前記プロセッサおよびメモリが、
第１の基地局において、複数の基地局測定報告を受信すること、ここで、前記複数の基地局測定報告の各々が、複数の基地局のうちの１つから受信され、前記複数の基地局測定報告が、無認可無線周波数スペクトル帯域を使用して第１の信号を送信する１つまたは複数の第１のデバイスに関連する情報を含み、前記１つまたは複数の第１のデバイスが、前記複数の基地局とは異なる、と、
前記第１の基地局において、ユーザ機器（ＵＥ）測定報告をＵＥから受信すること、ここで、前記ＵＥ測定報告が、前記無認可無線周波数スペクトル帯域上で第２の信号を送信する１つまたは複数の第２のデバイスに関連する情報を含み、前記１つまたは複数の第２のデバイスが、前記ＵＥとは異なる、と、
前記第１の基地局において、前記複数の基地局測定報告と前記ＵＥ測定報告とに少なくとも部分的に基づいて、前記１つまたは複数の第１のデバイスまたは前記１つまたは複数の第２のデバイスが、前記第１の基地局のエネルギー検出範囲外にあると決定することと、
前記第１の基地局において、前記１つまたは複数の第１のデバイスまたは前記１つまたは複数の第２のデバイスが、前記第１の基地局の前記エネルギー検出範囲外にあるとの前記決定に少なくとも部分的に基づいて、前記ＵＥをハンドオーバすると決定することと、
前記第１の基地局において、前記複数の基地局の中からターゲット基地局を選択すること、ここにおいて、前記選択が、前記ターゲット基地局の第２のエネルギー検出範囲内にある前記第１の基地局の前記エネルギー検出範囲外にある、前記１つまたは複数の第１のデバイスまたは前記１つまたは複数の第２のデバイスに少なくとも部分的に基づく、と、
前記第１の基地局から、前記ＵＥを前記ターゲット基地局にハンドオーバするとの前記決定に少なくとも部分的に基づいてハンドオーバコマンドを送信することと
を行うように構成される、装置。
【請求項２１】
前記１つまたは複数の第１のデバイスが、非サービング基地局または非サービングワイヤレスローカルエリアネットワーク（ＷＬＡＮ）アクセスポイント（ＡＰ）のうちの１つまたは複数を備える、請求項２０に記載の装置。
【請求項２２】
前記１つまたは複数の第２のデバイスが、非サービング基地局または非サービングワイヤレスローカルエリアネットワーク（ＷＬＡＮ）アクセスポイント（ＡＰ）のうちの１つまたは複数を備える、請求項２０に記載の装置。
【請求項２３】
前記１つまたは複数の第１のデバイスが、前記複数の基地局測定報告のうちの１つの基地局測定報告を提供した前記複数の基地局のうちの１つの基地局のエネルギー検出範囲内にある、請求項２０に記載の装置。
【請求項２４】
前記１つまたは複数の第２のデバイスが、前記ＵＥのエネルギー検出範囲内にある、請求項２０に記載の装置。
【請求項２５】
前記プロセッサおよびメモリが、
前記１つまたは複数の第１のデバイスまたは前記１つまたは複数の第２のデバイスのうちの少なくとも１つの送信の時間間隔とは異なる時間間隔において、信号を受信すること
を行うように構成される、請求項２０に記載の装置。
【請求項２６】
前記プロセッサおよびメモリが、
前記１つまたは複数の第１のデバイスまたは前記１つまたは複数の第２のデバイスのうちの少なくとも１つが、前記無認可無線周波数スペクトル帯域上で前記第１の基地局から送信された信号に、前記ＵＥにおける干渉を引き起こしていると決定すること
を行うように構成され、
前記プロセッサおよびメモリは、前記ターゲット基地局が、前記第１の基地局に対する低減された干渉で、前記ＵＥに信号を送信することができると決定するようにさらに構成される、
請求項２０に記載の装置。
【請求項２７】
前記プロセッサおよびメモリが、
前記ＵＥにおける前記ターゲット基地局の送信の信号強度がしきい値を超えると決定すること、
前記ターゲット基地局が、前記ＵＥにおける前記干渉を引き起こしている、前記１つまたは複数の第１のデバイスまたは前記１つまたは複数の第２のデバイスのうちの前記少なくとも１つのエネルギー検出範囲内にあると決定すること、あるいは
前記ターゲット基地局が前記第１の基地局のエネルギー検出範囲内にあると決定すること、
を行うように構成される、請求項２６に記載の装置。
【請求項２８】
前記プロセッサおよびメモリが、
前記ハンドオーバコマンドを前記送信することが、前記ＵＥと前記ターゲット基地局との間の通信を開始するために、前記ＵＥに前記ハンドオーバコマンドを送信すること
を行うように構成される、請求項２０に記載の装置。
【請求項２９】
ワイヤレス通信のための装置であって、
第１の基地局において、複数の基地局測定報告を受信するための手段、ここで、前記複数の基地局測定報告の各々が、複数の基地局のうちの１つから受信され、前記複数の基地局測定報告が、無認可無線周波数スペクトル帯域を使用して第１の信号を送信する１つまたは複数の第１のデバイスに関連する情報を含み、前記１つまたは複数の第１のデバイスが、前記複数の基地局とは異なる、と、
前記第１の基地局において、ユーザ機器（ＵＥ）測定報告をＵＥから受信するための手段、ここで、前記ＵＥ測定報告が、前記無認可無線周波数スペクトル帯域を使用して第２の信号を送信する１つまたは複数の第２のデバイスに関連する情報を含み、前記１つまたは複数の第２のデバイスが、前記ＵＥとは異なる、と、
前記第１の基地局において、前記複数の基地局測定報告と前記ＵＥ測定報告とに少なくとも部分的に基づいて、前記１つまたは複数の第１のデバイスまたは前記１つまたは複数の第２のデバイスが、前記第１の基地局のエネルギー検出範囲外にあると決定するための手段と、
前記第１の基地局において、前記１つまたは複数の第１のデバイスまたは前記１つまたは複数の第２のデバイスが、前記第１の基地局の前記エネルギー検出範囲外にあるとの前記決定に少なくとも部分的に基づいて、前記ＵＥをハンドオーバすると決定するための手段と、
前記第１の基地局において、前記複数の基地局の中からターゲット基地局を選択するための手段、ここにおいて、前記選択が、前記ターゲット基地局の第２のエネルギー検出範囲内にある前記第１の基地局の前記エネルギー検出範囲外にある、前記１つまたは複数の第１のデバイスまたは前記１つまたは複数の第２のデバイスに少なくとも部分的に基づく、と、
前記第１の基地局から、前記ＵＥを前記ターゲット基地局にハンドオーバするとの前記決定に少なくとも部分的に基づいてハンドオーバコマンドを送信するための手段と
を備える、装置。
【請求項３０】
通信のためのコードを記憶する非一時的コンピュータ可読媒体であって、前記コードが、
第１の基地局において、複数の基地局測定報告を受信すること、ここで、前記複数の基地局測定報告の各々が、複数の基地局のうちの１つから受信され、前記複数の基地局測定報告が、無認可無線周波数スペクトル帯域を使用して第１の信号を送信する１つまたは複数の第１のデバイスに関連する情報を含み、前記１つまたは複数の第１のデバイスが、前記複数の基地局とは異なる、と、
前記第１の基地局において、ユーザ機器（ＵＥ）測定報告をＵＥから受信すること、ここで、前記ＵＥ測定報告が、前記無認可無線周波数スペクトル帯域を使用して第２の信号を送信する１つまたは複数の第２のデバイスに関連する情報を含み、前記１つまたは複数の第２のデバイスが、前記ＵＥとは異なる、と、
前記第１の基地局において、前記複数の基地局測定報告と前記ＵＥ測定報告とに少なくとも部分的に基づいて、前記１つまたは複数の第１のデバイスまたは前記１つまたは複数の第２のデバイスが、前記第１の基地局のエネルギー検出範囲外にあると決定することと、
前記第１の基地局において、前記１つまたは複数の第１のデバイスまたは前記１つまたは複数の第２のデバイスが、前記第１の基地局の前記エネルギー検出範囲外にあるとの前記決定に少なくとも部分的に基づいて、前記ＵＥをハンドオーバすると決定することと、
前記第１の基地局において、前記複数の基地局の中からターゲット基地局を選択すること、ここにおいて、前記選択が、前記ターゲット基地局の第２のエネルギー検出範囲内にある前記第１の基地局の前記エネルギー検出範囲外にある、前記１つまたは複数の第１のデバイスまたは前記１つまたは複数の第２のデバイスに少なくとも部分的に基づく、と、
前記第１の基地局から、前記ＵＥを前記ターゲット基地局にハンドオーバするとの前記決定に少なくとも部分的に基づいてハンドオーバコマンドを送信することと
を行うように実行可能な命令を備える、非一時的コンピュータ可読媒体。